(57)【要約】【課題】低コストな構成のフロアユニットの揚重装置および揚重方法を提供する。【解決手段】少なくとも一対の柱部材２とこれら柱部材２の上側に設けられる上側部材４とから構成される架構６内の下方に略水平に配置された平面状のフロアユニット１０を揚重機１２で鉛直上方に揚重するフロアユニットの揚重装置１００であって、フロアユニット１０を支持するためにこのフロアユニット１０の下側に略水平に配置される長尺状のリフトアップビーム１４に沿って架設したワイヤロープ１６の一端を上側部材４に吊り下げ固定するとともに、他端を揚重機１２に接続し、揚重機１２でワイヤロープ１６を巻き上げることによりリフトアップビーム１４を吊り上げ、フロアユニット１０を揚重する。【選択図】図１
2013036287.tif 000002
【特許請求の範囲】
【請求項１】
少なくとも一対の柱部材とこれら柱部材の上側に設けられる上側部材とから構成される架構内の下方に略水平に配置された平面状のフロアユニットを揚重機で鉛直上方に揚重するフロアユニットの揚重装置であって、
前記フロアユニットを支持するためにこのフロアユニットの下側に略水平に配置される長尺状のリフトアップビームに沿って架設したワイヤロープの一端を前記上側部材に吊り下げ固定するとともに、他端を前記揚重機に接続したことを特徴とするフロアユニットの揚重装置。
【請求項２】
前記リフトアップビームは両端にシーブが設けられた角型鋼管からなり、前記ワイヤロープはこの鋼管を挿通し前記シーブを介して前記上側部材および前記揚重機に接続してあることを特徴とする請求項１に記載のフロアユニットの揚重装置。
【請求項３】
前記揚重機をラフター型クレーンまたは前記上側部材に固定される電動チェーンブロックで構成したことを特徴とする請求項１または２に記載のフロアユニットの揚重装置。
【請求項４】
少なくとも一対の柱部材とこれら柱部材の上側に設けられる上側部材とから構成される架構内の下方に略水平に配置された平面状のフロアユニットを揚重機で鉛直上方に揚重するフロアユニットの揚重方法であって、
前記フロアユニットを支持するためにこのフロアユニットの下側に略水平に配置される長尺状のリフトアップビームに沿って架設したワイヤロープの一端を前記上側部材に吊り下げ固定するとともに、他端を前記揚重機に接続し、前記揚重機で前記ワイヤロープを巻き上げることにより前記リフトアップビームを吊り上げ、前記フロアユニットを揚重することを特徴とするフロアユニットの揚重方法。
【請求項５】
前記リフトアップビームは両端にシーブが設けられた角型鋼管からなり、前記ワイヤロープはこの鋼管を挿通し前記シーブを介して前記上側部材および前記揚重機に接続してあることを特徴とする請求項４に記載のフロアユニットの揚重方法。
【請求項６】
前記揚重機をラフター型クレーンまたは前記上側部材に固定される電動チェーンブロックで構成したことを特徴とする請求項４または５に記載のフロアユニットの揚重方法。
【発明の詳細な説明】
【技術分野】
【０００１】
本発明は、事務所ビル等の建設工事などで用いられるフロアユニットの揚重装置および揚重方法に関するものである。
【背景技術】
【０００２】
従来、鉄骨造の事務所ビル等の建設工事において、鉄骨小梁とデッキとからなるユニットに耐火被覆、スプリンクラー配管、設備ダクト、保温材等を組み込んだフロアユニットを多段に積層してストックし、これを上段から順次上方へ揚重するフロアユニット積層生産システムが知られている（例えば、特許文献１参照）。図７および図８に例示するように、このシステムは、建設中の建物１内の上部四隅に４台の電動チェーンブロック３を設け、その下方に平行配置してある２本の長尺状のリフトアップビーム５の両端をチェーン７を介して各電動チェーンブロック３で吊り上げることにより、その上側に載せたフロアユニット１０を揚重するものである。こうすることで、狭隘な敷地条件下におけるフロア施工コストの低減と工期短縮とに寄与している。
【先行技術文献】
【特許文献】
【０００３】
【特許文献１】特開２００９−２４９９８０号公報
【発明の概要】
【発明が解決しようとする課題】
【０００４】
ところで、上記の従来のフロアユニット積層生産システムを中小規模の建設工事現場に適用する場合には、フロアユニットのストック枚数（段数）を減らし、中間階からの揚重をしない方法を採用することでコストダウンが可能である。しかしながら、システムを構成する４台の電動チェーンブロックに掛かる費用が高く、十分なコストメリットを得にくいことから、より低コストで実現可能な揚重技術の開発が望まれていた。
【０００５】
本発明は、上記に鑑みてなされたものであって、低コストな構成のフロアユニットの揚重装置および揚重方法を提供することを目的とする。
【課題を解決するための手段】
【０００６】
上記した課題を解決し、目的を達成するために、本発明の請求項１に係るフロアユニットの揚重装置は、少なくとも一対の柱部材とこれら柱部材の上側に設けられる上側部材とから構成される架構内の下方に略水平に配置された平面状のフロアユニットを揚重機で鉛直上方に揚重するフロアユニットの揚重装置であって、前記フロアユニットを支持するためにこのフロアユニットの下側に略水平に配置される長尺状のリフトアップビームに沿って架設したワイヤロープの一端を前記上側部材に吊り下げ固定するとともに、他端を前記揚重機に接続したことを特徴とする。
【０００７】
また、本発明の請求項２に係るフロアユニットの揚重装置は、上述した請求項１において、前記リフトアップビームは両端にシーブが設けられた角型鋼管からなり、前記ワイヤロープはこの鋼管を挿通し前記シーブを介して前記上側部材および前記揚重機に接続してあることを特徴とする。
【０００８】
また、本発明の請求項３に係るフロアユニットの揚重装置は、上述した請求項１または２において、前記揚重機をラフター型クレーンまたは前記上側部材に固定される電動チェーンブロックで構成したことを特徴とする。
【０００９】
また、本発明の請求項４に係るフロアユニットの揚重方法は、少なくとも一対の柱部材とこれら柱部材の上側に設けられる上側部材とから構成される架構内の下方に略水平に配置された平面状のフロアユニットを揚重機で鉛直上方に揚重するフロアユニットの揚重方法であって、前記フロアユニットを支持するためにこのフロアユニットの下側に略水平に配置される長尺状のリフトアップビームに沿って架設したワイヤロープの一端を前記上側部材に吊り下げ固定するとともに、他端を前記揚重機に接続し、前記揚重機で前記ワイヤロープを巻き上げることにより前記リフトアップビームを吊り上げ、前記フロアユニットを揚重することを特徴とする。
【００１０】
また、本発明の請求項５に係るフロアユニットの揚重方法は、上述した請求項４において、前記リフトアップビームは両端にシーブが設けられた角型鋼管からなり、前記ワイヤロープはこの鋼管を挿通し前記シーブを介して前記上側部材および前記揚重機に接続してあることを特徴とする。
【００１１】
また、本発明の請求項６に係るフロアユニットの揚重方法は、上述した請求項４または５において、前記揚重機をラフター型クレーンまたは前記上側部材に固定される電動チェーンブロックで構成したことを特徴とする。
【発明の効果】
【００１２】
本発明に係るフロアユニットの揚重装置によれば、少なくとも一対の柱部材とこれら柱部材の上側に設けられる上側部材とから構成される架構内の下方に略水平に配置された平面状のフロアユニットを揚重機で鉛直上方に揚重するフロアユニットの揚重装置であって、前記フロアユニットを支持するためにこのフロアユニットの下側に略水平に配置される長尺状のリフトアップビームに沿って架設したワイヤロープの一端を前記上側部材に吊り下げ固定するとともに、他端を前記揚重機に接続したので、リフトアップビーム１本を揚重機１台で揚重することができる。したがって、本発明によれば、２本のリフトアップビームを２台の揚重機で揚重可能であることから、電動チェーンブロックなどの揚重機が４台必要となっていた上記の従来のフロアユニット積層生産システムの構成に比べて２台の揚重機を省略できるので、低コストな構成のフロアユニットの揚重装置を提供することができるという効果を奏する。
【００１３】
また、本発明に係るフロアユニットの揚重方法によれば、少なくとも一対の柱部材とこれら柱部材の上側に設けられる上側部材とから構成される架構内の下方に略水平に配置された平面状のフロアユニットを揚重機で鉛直上方に揚重するフロアユニットの揚重方法であって、前記フロアユニットを支持するためにこのフロアユニットの下側に略水平に配置される長尺状のリフトアップビームに沿って架設したワイヤロープの一端を前記上側部材に吊り下げ固定するとともに、他端を前記揚重機に接続し、前記揚重機で前記ワイヤロープを巻き上げることにより前記リフトアップビームを吊り上げ、前記フロアユニットを揚重するので、リフトアップビーム１本を揚重機１台で揚重することができる。したがって、本発明によれば、２本のリフトアップビームを２台の揚重機で揚重可能であることから、電動チェーンブロックなどの揚重機が４台必要となっていた上記の従来のフロアユニット積層生産システムの構成に比べて２台の揚重機を省略できるので、低コストな構成のフロアユニットの揚重方法を提供することができるという効果を奏する。
【図面の簡単な説明】
【００１４】
【図１】図１は、本発明に係るフロアユニットの揚重装置の実施例１を示す側面図である。
【図２】図２は、本発明に係るフロアユニットの揚重装置の実施例１を示す正面図である。
【図３】図３は、実施例１の要部を示す側面図である。
【図４】図４は、図３のＡ部分の拡大図である。
【図５】図５は、本発明に係るフロアユニットの揚重装置の実施例２の要部を示す側面図である。
【図６】図６は、本発明に係るフロアユニットの揚重装置の実施例２を示す正面図である。
【図７】図７は、従来のフロアユニット積層生産システムの構成を示す正面図である。
【図８】図８は、従来のフロアユニット積層生産システムの構成を示す側面図である。
【発明を実施するための形態】
【００１５】
以下に、本発明に係るフロアユニットの揚重装置および揚重方法の実施の形態（実施例１および２）を図面に基づいて詳細に説明する。ここで、実施例１は揚重機として電動チェーンブロック２台を使用する場合、実施例２はラフター型クレーンを使用する場合について記述したものである。なお、これら実施例によりこの発明が限定されるものではない。
【００１６】
［実施例１］
まず、実施例１（電動チェーンブロック２台を使用する場合）について図１〜図４を参照しながら説明する。図１は実施例１のフロアユニットの揚重装置の側面図、図２は正面図、図３は要部の側面図、図４は図３のＡ部分の拡大図である。
【００１７】
図１〜図３に示すように、本発明の実施例１に係るフロアユニットの揚重装置１００は、少なくとも一対の柱部材２とこれら柱部材２の上側に設けられる上側部材４とから構成される架構６内の下方に略水平に積層配置された平面状のフロアユニット１０を、２本のリフトアップビーム１４を介して２台の電動チェーンブロック１２（揚重機）で鉛直上方に揚重する装置である。
【００１８】
リフトアップビーム１４は、フロアユニット１０を支持するためにこのフロアユニット１０の下側に略水平に配置される長尺状の角型鋼管であり、上側部材４に固定された２台の電動チェーンブロック１２の各下方に設けてある。図３および図４に示すように、リフトアップビーム１４の鋼管の両端にはシーブ１８が設けてあり、この鋼管内にはワイヤロープ１６が挿通してある。ワイヤロープ１６の一端はシーブ１８を介して上側部材４に吊り下げ固定され、他端は、シーブ１８、接続部２０およびチェーン２２を介して電動チェーンブロック１２に接続されている。
【００１９】
また、図２に示すように、柱部材２にはフロアユニット１０を支持するための荷重受けアーム２４が各階ごとに取り付けてある。この荷重受けアーム２４は軸部２４ａ周りに一方向に回動可能に構成されており、上昇中のフロアユニット１０の端部が荷重受けアーム２４の内端を押し上げると回動退避してフロアユニット１０の上昇進路をあけるようになっている。
【００２０】
本実施例１の動作および作用を説明する。
２台の電動チェーンブロック１２でチェーン２２を巻き上げると、上側部材４に吊り下げ固定されたワイヤロープ１６を介して２本のリフトアップビーム１４が上昇する。こうすることで、リフトアップビーム１４の上側に積載されたフロアユニット１０が揚重される。
【００２１】
このように、本実施例１のフロアユニットの揚重装置および揚重方法によれば、リフトアップビーム１本を電動チェーンブロック１台で揚重することができるので、２本のリフトアップビームを２台の揚重機で揚重可能である。このため、揚重機が４台必要となっていた上記の従来のフロアユニット積層生産システムの構成に比べて２台の揚重機を省略できるので、低コストな構成のフロアユニットの揚重装置および揚重方法を提供することができる。
【００２２】
なお、上記の実施の形態においては、ワイヤロープ１本あたりに作用する荷重は、上記の従来の４台の電動チェーンブロックを用いた揚重装置と比較すると１／２になるが、各電動チェーンブロック１２の揚程は従来の装置の２倍必要となる。
【００２３】
また、上記の実施の形態においては、リフトアップビーム１４の角型鋼管内部にワイヤロープ１６を挿通する場合について説明したが、リフトアップビーム１４に沿って架設する態様であればこれに限るものではなく、例えば角型鋼管の外側に長手方向に沿って複数のシーブを設置してこの間にワイヤロープ１６を架設するようにしてもよい。
【００２４】
［実施例２］
次に、実施例２（ラフター型クレーンを使用する場合）について図５および図６を参照しながら説明する。図５は実施例２のフロアユニットの揚重装置の要部の側面図、図６は正面図である。
【００２５】
図５および図６に示すように、本発明の実施例２に係るフロアユニットの揚重装置２００は、上記の実施例１において、２台の電動チェーンブロック１２の代わりに１台のラフター型クレーン２６を揚重機として用いたものである。
【００２６】
ワイヤロープ１６の他端は１本の吊ビーム２８に固定されており、吊ビーム２８は、チェーン２２を介してラフター型クレーン２６に吊り下げられている。また、図６に示すように、吊ビーム２８の両端にはガイドローラ３２が設けてあり、このガイドローラ３２は、一対の柱部材２の内側に立設されたガイドレール３０に嵌め込まれている。このため、吊ビーム２８はガイドレール３０に沿って上下方向に移動可能である。
【００２７】
本実施例２の動作および作用を説明する。
１台のラフター型クレーン２６でチェーン２２を巻き上げると、吊ビーム２８がガイドレール３０に沿って上昇する。これにより、上側部材４に吊り下げ固定されたワイヤロープ１６を介して２本のリフトアップビーム１４が上昇する。こうすることで、リフトアップビーム１４の上側に積載されたフロアユニット１０が揚重される。
【００２８】
このように、本実施例２のフロアユニットの揚重装置および揚重方法によれば、リフトアップビーム２本を吊ビーム２８を介してラフター型クレーン１台で揚重することができる。このため、揚重機が４台必要となっていた上記の従来のフロアユニット積層生産システムの構成に比べて揚重機台数を省略できるので、低コストな構成のフロアユニットの揚重装置および揚重方法を提供することができる。
【００２９】
なお、上記の実施の形態においては、揚重機としてラフター型クレーンを使用する場合について説明したが、これに限るものではなく、例えば鉄骨合番用のラフター型クレーンやクローラー型クレーンなどの揚重機を使用するようにしてもよい。
【００３０】
以上説明したように、本発明に係るフロアユニットの揚重装置によれば、少なくとも一対の柱部材とこれら柱部材の上側に設けられる上側部材とから構成される架構内の下方に略水平に配置された平面状のフロアユニットを揚重機で鉛直上方に揚重するフロアユニットの揚重装置であって、前記フロアユニットを支持するためにこのフロアユニットの下側に略水平に配置される長尺状のリフトアップビームに沿って架設したワイヤロープの一端を前記上側部材に吊り下げ固定するとともに、他端を前記揚重機に接続したので、リフトアップビーム１本を揚重機１台で揚重することができる。したがって、本発明によれば、２本のリフトアップビームを２台の揚重機で揚重可能であることから、電動チェーンブロックなどの揚重機が４台必要となっていた上記の従来のフロアユニット積層生産システムの構成に比べて２台の揚重機を省略できるので、低コストな構成のフロアユニットの揚重装置を提供することができる。
【００３１】
また、本発明に係るフロアユニットの揚重方法によれば、少なくとも一対の柱部材とこれら柱部材の上側に設けられる上側部材とから構成される架構内の下方に略水平に配置された平面状のフロアユニットを揚重機で鉛直上方に揚重するフロアユニットの揚重方法であって、前記フロアユニットを支持するためにこのフロアユニットの下側に略水平に配置される長尺状のリフトアップビームに沿って架設したワイヤロープの一端を前記上側部材に吊り下げ固定するとともに、他端を前記揚重機に接続し、前記揚重機で前記ワイヤロープを巻き上げることにより前記リフトアップビームを吊り上げ、前記フロアユニットを揚重するので、リフトアップビーム１本を揚重機１台で揚重することができる。したがって、本発明によれば、２本のリフトアップビームを２台の揚重機で揚重可能であることから、電動チェーンブロックなどの揚重機が４台必要となっていた上記の従来のフロアユニット積層生産システムの構成に比べて２台の揚重機を省略できるので、低コストな構成のフロアユニットの揚重方法を提供することができる。
【産業上の利用可能性】
【００３２】
以上のように、本発明に係るフロアユニットの揚重装置および揚重方法は、事務所ビル等のフロア施工に有用であり、特に、フロアユニットを低コストで揚重するのに適している。
【符号の説明】
【００３３】
２  柱部材
４  上側部材
６  架構
１０  フロアユニット
１２  電動チェーンブロック（揚重機）
１４  リフトアップビーム
１６  ワイヤロープ
１８  シーブ
２０  接続部
２２  チェーン
２４  荷重受けアーム
２４ａ  軸部
２６  ラフター型クレーン（揚重機）
２８  吊ビーム
３０  ガイドレール
３２  ガイドローラ
１００  フロアユニットの揚重装置（実施例１）
２００  フロアユニットの揚重装置（実施例２）
【図１】
2013036287.tif 000003
【図２】
2013036287.tif 000004
【図３】
2013036287.tif 000005
【図４】
2013036287.tif 000006
【図５】
2013036287.tif 000007
【図６】
2013036287.tif 000008
【図７】
2013036287.tif 000009
【図８】
2013036287.tif 000010